【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
体内における使用のための、体内特性の測定結果を信号分析器に通信するためのセンサー回路であって、前記センサー回路が、
ＲＦ場である第１の場に応答して、前記第１の場の搬送波信号を受信及び変調し、パルス状場である第２の場におけるパルスを受信する共振回路
を備え、前記共振回路が、
第１のトランスデューサーの電気的特性である第１の電気的特性が前記体内特性に依存する、当該第１のトランスデューサーと、
第２のトランスデューサーの電気的特性である第２の電気的特性が前記第２の場に依存する、当該第２のトランスデューサーと
を含み、
前記搬送波信号が、前記体内特性に起因した前記第１の電気的特性の変化と、前記第２の場におけるパルスに起因した前記第２の電気的特性の変化とにより変調される、
センサー回路。
【請求項２】
変調された前記搬送波信号が前記体内特性に関する情報と前記第２の場における前記パルスに関する情報とを含むように、前記共振回路により受信された前記搬送波信号が、前記第１の電気的特性の変化と前記第２の電気的特性の変化とにより変調される、請求項１に記載のセンサー回路。
【請求項３】
前記第２のトランスデューサーは、
前記第２の場に応答して電圧を生成する第１のトランスデューサーコンポーネントと、
前記第１のトランスデューサーコンポーネントに結合された第２のトランスデューサーコンポーネントと
を備え、
前記第２のトランスデューサーコンポーネントが、前記第２の電気的特性をもち、前記第２のトランスデューサーコンポーネントは、前記第２の電気的特性が前記第１のトランスデューサーコンポーネントにより生成された電圧に依存するようにされている、
請求項１又は２に記載のセンサー回路。
【請求項４】
前記共振回路は、
第３のトランスデューサーであって、前記第３のトランスデューサーの電気的特性である第３の電気的特性が前記体内特性に依存し、前記第１のトランスデューサーと前記第３のトランスデューサーとが体内の異なる位置において前記体内特性を測定するように、前記第３のトランスデューサーが前記第１のトランスデューサーから離隔している、当該第３のトランスデューサー
をさらに備え、
前記第１のトランスデューサーと前記第２のトランスデューサーコンポーネントとが、第１の共振サブ回路を形成し、
前記第２のトランスデューサーが、前記第１のトランスデューサーコンポーネントに結合された第３のトランスデューサーコンポーネントであって、第２の共振サブ回路を形成するように前記第３のトランスデューサーに結合された第３のトランスデューサーコンポーネントをさらに備え、前記第３のトランスデューサーコンポーネントは、当該第３のトランスデューサーコンポーネントの電気的特性が前記第１のトランスデューサーコンポーネントにより生成された前記電圧に依存するようにされている、
請求項３に記載のセンサー回路。
【請求項５】
前記第１のトランスデューサーと前記第２のトランスデューサーコンポーネントとが、前記第２の場の前記パルスの第１の位相中、変調された前記搬送波信号に対する少なくとも１つの側波帯ペアを生成するように、及び、前記第３のトランスデューサーコンポーネントと前記第３のトランスデューサーとが、前記第２の場の前記パルスの第２の位相中、前記変調された搬送波信号に対する少なくとも１つの側波帯ペアを生成するように、前記第２のトランスデューサーコンポーネントと前記第３のトランスデューサーコンポーネントとが構成されており、前記第２の位相が、前記第１の位相の逆である、請求項４に記載のセンサー回路。
【請求項６】
前記体内特性は、圧力、温度、伝導率、透過性、及び、誘電率のうちの任意の１つ又は複数である、請求項１から５のいずれか一項に記載のセンサー回路。
【請求項７】
前記第２の場は、超音波場、Ｘ線場、ＭＲＩにおいて使用される電磁場、又は光である、請求項１から６のいずれか一項に記載のセンサー回路。
【請求項８】
体内特性の測定結果を特定するための信号分析器であって、
体内においてセンサー回路により生成された第１の変調された搬送波信号を受信することと、
前記センサー回路がさらされているＲＦ場である第１の場に関係した第１の情報を受信することと、
前記センサー回路がさらされているパルス状場である第２の場に関係した第２の情報を受信することと、
前記体内特性の測定結果を特定するために、受信された前記第１の情報と受信された前記第２の情報とを使用して、受信された第１の変調された搬送波信号を分析することと
を行う処理ユニットを備える、信号分析器。
【請求項９】
前記処理ユニットは、
前記体内特性の測定結果を特定するために、第１のＲＦ信号の振幅、位相、及び／又は、周波数を、前記受信された第１の変調された搬送波信号の振幅、位相、及び／又は、周波数と比較すること
により、前記受信された第１の変調された搬送波信号を分析する、請求項８に記載の信号分析器。
【請求項１０】
前記処理ユニットは、
変調された前記搬送波信号のタイミングを特定するために、前記第２の場におけるパルスの振幅、位相、及び／又は、周波数を、前記受信された第１の変調された搬送波信号と比較すること
により、前記受信された第１の変調された搬送波信号を分析する、請求項８又は９に記載の信号分析器。
【請求項１１】
前記処理ユニットは、
第１のトランスデューサーによる前記体内特性の測定結果を特定するために、前記第２の場におけるパルスの第１の位相にしたがって、前記受信された第１の変調された搬送波信号の第１の側波帯ペアを分析し、前記第１のトランスデューサーの電気的特性である第１の電気的特性が、前記体内特性に依存し、
第２のトランスデューサーによる前記体内特性の測定結果を特定するために、前記第２の場におけるパルスの第２の位相にしたがって、前記受信された第１の変調された搬送波信号の第２の側波帯ペアを分析し、前記第２の位相が、前記第１の位相の逆であり、前記第２のトランスデューサーの電気的特性である第２の電気的特性が、前記体内特性に依存する、
請求項１０に記載の信号分析器。
【請求項１２】
請求項１から７のいずれか一項に記載のセンサー回路と、
請求項８から１１のいずれか一項に記載の信号分析器と
を備える、体内特性を測定するためのシステム。
【請求項１３】
前記第１の場を生成するための第１の場生成器と、
前記第２の場を生成するための第２の場生成器と、
のうちの一方又は両方をさらに備える、請求項１２に記載のシステム。
【請求項１４】
体内にある、体内特性の測定結果を信号分析器に通信するためのセンサー回路を動作させる方法であって、前記方法は、
共振回路において、ＲＦ場である第１の場の搬送波信号を受信するステップと、
前記共振回路において、パルス状場である第２の場におけるパルスを受信するステップであって、前記共振回路が、第１のトランスデューサーと第２のトランスデューサーとを備え、前記第１のトランスデューサーの電気的特性である第１の電気的特性が、前記体内特性に依存し、前記第２のトランスデューサーの電気的特性である第２の電気的特性が、前記第２の場に依存する、受信するステップと、
前記第２の場に応答して、変調された前記搬送波信号を形成するように、受信された前記搬送波信号を変調するステップであって、前記変調された搬送波信号が、前記体内特性に関する情報と前記第２の場におけるパルスに関する情報とを含むように、前記受信された搬送波信号が、前記第１の電気的特性の変化と前記第２の電気的特性の変化とにより変調される、変調するステップと
を有する、方法。
【請求項１５】
体内にあるセンサー回路を使用して体内特性を測定する方法であって、
前記センサー回路により生成された第１の変調された搬送波信号を受信するステップと、
前記センサー回路がさらされているＲＦ場である第１の場に関係した第１の情報を受信するステップと、
前記センサー回路がさらされているパルス状場である第２の場に関係した第２の情報を受信するステップと、
前記体内特性の測定結果を特定するために、受信された前記第１の情報と受信された前記第２の情報とを使用して、受信された前記第１の変調された搬送波信号を分析するステップと
を有する、方法。